【手続補正書】
【提出日】平成30年2月2日(2018.2.2)
【手続補正１】
【補正対象書類名】明細書
【補正対象項目名】発明の名称
【補正方法】変更
【補正の内容】
【発明の名称】画像処理装置、該装置の制御方法、及びプログラム
【手続補正２】
【補正対象書類名】明細書
【補正対象項目名】０００１
【補正方法】変更
【補正の内容】
【０００１】
本発明は、画像処理装置、該装置の制御方法、及びプログラムに関する。
【手続補正３】
【補正対象書類名】明細書
【補正対象項目名】０００６
【補正方法】変更
【補正の内容】
【０００６】
本発明の目的は、モバイルデバイスから受信したジョブを確実に実行することができる画像処理装置、該装置の制御方法、及びプログラムを提供することにある。
【手続補正４】
【補正対象書類名】明細書
【補正対象項目名】０００７
【補正方法】変更
【補正の内容】
【０００７】
上記目的を達成するために、本発明の画像処理装置は、特定のユーザＩＤによって特定される特定のアカウントを含む複数のアカウントのうちの１つのアカウントを使用してユーザが前記画像処理装置にログインすることを許可するユーザインタフェースを有し、且つ用紙に画像を形成する画像形成部を使用する画像処理装置であって、制御手段を備え、前記制御手段は、特定のｅ−ｍａｉｌアドレスを前記特定のユーザＩＤに関連付けて記憶部に記憶し、前記特定のユーザＩＤが付加された第１の印刷データを取得し、当該第１の印刷データを前記特定のアカウントに関連付けて前記記憶部に記憶し、前記特定のユーザＩＤが付加されておらず前記特定のｅ−ｍａｉｌアドレスが付加された第２の印刷データを取得し、当該第２の印刷データを前記特定のアカウントに関連付けて前記記憶部に記憶し、前記ユーザが前記特定のアカウントを使用して前記画像処理装置にログインしている状態で、前記画像形成部に前記第１の印刷データと前記第２の印刷データに基づく画像形成を実行させることを特徴とする。また、本発明の画像処理装置は、特定のユーザＩＤによって特定される特定のアカウントを含む複数のアカウントのうちの１つのアカウントを使用してユーザが前記画像処理装置にログインすることを許可するユーザインタフェースを有し、且つ用紙に画像を形成する画像形成部を使用する画像処理装置であって、制御手段を備え、前記制御手段は、特定のＭＡＣアドレスを前記特定のユーザＩＤに関連付けて記憶部に記憶し、前記特定のユーザＩＤが付加された第１の印刷データを取得し、当該第１の印刷データを前記特定のアカウントに関連付けて前記記憶部に記憶し、前記特定のユーザＩＤが付加されておらず前記特定のＭＡＣアドレスが付加された第２の印刷データを取得し、当該第２の印刷データを前記特定のアカウントに関連付けて前記記憶部に記憶し、前記ユーザが前記特定のアカウントを使用して前記画像処理装置にログインしている状態で、前記画像形成部に前記第１の印刷データと前記第２の印刷データに基づく画像形成を実行させることを特徴とする。
【手続補正５】
【補正対象書類名】明細書
【補正対象項目名】０００８
【補正方法】変更
【補正の内容】
【０００８】
また、上記目的を達成するために、本発明の画像処理装置は、特定のユーザＩＤによって特定される特定のアカウントを含む複数のアカウントのうちの１つのアカウントを使用してユーザが前記画像処理装置にログインすることを許可するユーザインタフェースを有し、且つ用紙に画像を形成する画像形成部を使用する画像処理装置であって、制御手段を備え、前記制御手段は、特定のｅ−ｍａｉｌアドレスを前記特定のユーザＩＤに関連付けて記憶部に記憶し、前記特定のユーザＩＤが付加された第１の印刷データを取得し、前記画像形成部に前記第１の印刷データに基づく第１の画像形成を実行させ、当該第１の画像形成の履歴情報を前記特定のアカウントに関連付けて前記記憶部に記憶し、前記特定のｅ−ｍａｉｌアドレスが付加された第２の印刷データを取得し、前記画像形成部に前記第２の印刷データに基づく第２の画像形成を実行させ、当該第２の画像形成の履歴情報を前記特定のアカウントに関連付けて前記記憶部に記憶することを特徴とする。また、本発明の画像処理装置は、特定のユーザＩＤによって特定される特定のアカウントを含む複数のアカウントのうちの１つのアカウントを使用してユーザが前記画像処理装置にログインすることを許可するユーザインタフェースを有し、且つ用紙に画像を形成する画像形成部を使用する画像処理装置であって、制御手段を備え、前記制御手段は、特定のＭＡＣアドレスを前記特定のユーザＩＤに関連付けて記憶部に記憶し、前記特定のユーザＩＤが付加された第１の印刷データを取得し、前記画像形成部に前記第１の印刷データに基づく第１の画像形成を実行させ、当該第１の画像形成の履歴情報を前記特定のアカウントに関連付けて前記記憶部に記憶し、前記特定のＭＡＣアドレスが付加された第２の印刷データを取得し、前記画像形成部に前記第２の印刷データに基づく第２の画像形成を実行させ、当該第２の画像形成の履歴情報を前記特定のアカウントに関連付けて前記記憶部に記憶することを特徴とする。
【手続補正６】
【補正対象書類名】明細書
【補正対象項目名】００１０
【補正方法】変更
【補正の内容】
【００１０】
【図１】本発明の第１の実施の形態に係る画像形成装置（画像処理装置）としてのＭＦＰを含む画像形成システムの構成を概略的に示す概念図である。
【図２】図１におけるＭＦＰの内部構成を概略的に示すブロック図である。
【図３】図２におけるＨＤＤに格納されるソフトウェアを説明するために用いられる図である。
【図４】図３におけるユーザ認証部がユーザ認証を実行する際にＭＦＰの操作部又はモバイルデバイスの操作部に表示する認証画面又は接触指示画面を説明するために用いられる図である。
【図５】図２におけるＣＰＵによって実行される登録処理の手順を示すフローチャートである。
【図６】図１におけるモバイルデバイスの操作部に表示されたアプリケーション選択画面を説明するために用いられる図である。
【図７】図１におけるモバイルデバイスの操作部に表示された登録画面を説明するために用いられる図である。
【図８】図２におけるＨＤＤに格納されるプロトコル対応テーブルを説明するために用いられる図である。
【図９】図３におけるジョブオーナー情報管理部によって管理されるジョブオーナー情報管理テーブルを説明するために用いられる図である。
【図１０】図１におけるモバイルデバイスの操作部に表示された登録実行確認画面を説明するために用いられる図である。
【図１１】図５の登録処理の変形例の手順を示すフローチャートである。
【図１２】図１におけるモバイルデバイスの操作部に表示された登録画面を説明するために用いられる図である。
【図１３】図１におけるモバイルデバイスにダウンロードさせるための登録ファイルを生成する生成処理の手順を示すフローチャートである。
【図１４】図１におけるモバイルデバイスの操作部に表示された指示画面を説明するために用いられる図である。
【図１５】図２におけるＲＯＭに格納される登録ファイル管理テーブルを説明するために用いられる図である。
【図１６】図１におけるモバイルデバイスの操作部に表示されたダウンロード画面を説明するために用いられる図である。
【図１７】図２におけるＣＰＵによって実行される図１１の登録処理の変形例の手順を示すフローチャートである。
【手続補正７】
【補正対象書類名】明細書
【補正対象項目名】００１２
【補正方法】変更
【補正の内容】
【００１２】
図１は、本発明の第１の実施の形態に係る画像形成装置（画像処理装置）としてのＭＦＰ１０１を含む画像形成システム１００の構成を概略的に示す概念図である。
【手続補正８】
【補正対象書類名】特許請求の範囲
【補正対象項目名】全文
【補正方法】変更
【補正の内容】
【特許請求の範囲】
【請求項１】
特定のユーザＩＤによって特定される特定のアカウントを含む複数のアカウントのうちの１つのアカウントを使用してユーザが前記画像処理装置にログインすることを許可するユーザインタフェースを有し、且つ用紙に画像を形成する画像形成部を使用する画像処理装置であって、
制御手段を備え、
前記制御手段は、
特定のｅ−ｍａｉｌアドレスを前記特定のユーザＩＤに関連付けて記憶部に記憶し、
前記特定のユーザＩＤが付加された第１の印刷データを取得し、当該第１の印刷データを前記特定のアカウントに関連付けて前記記憶部に記憶し、
前記特定のユーザＩＤが付加されておらず前記特定のｅ−ｍａｉｌアドレスが付加された第２の印刷データを取得し、当該第２の印刷データを前記特定のアカウントに関連付けて前記記憶部に記憶し、
前記ユーザが前記特定のアカウントを使用して前記画像処理装置にログインしている状態で、前記画像形成部に前記第１の印刷データと前記第２の印刷データに基づく画像形成を実行させることを特徴とする画像処理装置。
【請求項２】
前記制御手段は、
前記第１の印刷データを取得したことに基づき、前記特定のユーザＩＤ及び前記第１の印刷データの識別情報を互いに関連付けて前記記憶部に記憶し、
前記第２の印刷データを取得したことに基づき、前記特定のユーザＩＤ及び前記第２の印刷データの識別情報を互いに関連付けて前記記憶部に記憶することを特徴とする請求項１記載の画像処理装置。
【請求項３】
前記制御手段は、
印刷データを取得し、
前記取得した印刷データをユーザＩＤを使用して関連付けることが可能か否かを判定し、
前記取得した印刷データが前記ユーザＩＤを使用して関連付けることが可能である場合、前記ユーザＩＤに基づき、前記取得した印刷データを前記複数のアカウントのうちの一のアカウントに関連付け、
前記取得した印刷データが前記ユーザＩＤを使用して関連付けることができない場合、ｅ−ｍａｉｌアドレスに基づき、前記取得した印刷データを前記複数のアカウントのうちの一のアカウントに関連付けることを特徴とする請求項１又は２記載の画像処理装置。
【請求項４】
前記ユーザインタフェースは、ユーザＩＤを受信して認証を実行することを特徴とする請求項１乃至３のいずれか１項に記載の画像処理装置。
【請求項５】
前記ユーザインタフェースは、ＩＣカードから取得した情報に基づいて認証を実行することを特徴とする請求項１乃至４のいずれか１項に記載の画像処理装置。
【請求項６】
前記ユーザが前記特定のアカウントを使用して前記画像処理装置にログインしている状態で、前記制御手段は、前記特定のｅ−ｍａｉｌアドレスが付加された印刷データを取得したことに基づき、前記特定のｅ−ｍａｉｌアドレスを前記特定のユーザＩＤに関連付けて前記記憶部に記憶することを特徴とする請求項１乃至５のいずれか１項に記載の画像処理装置。
【請求項７】
特定のユーザＩＤによって特定される特定のアカウントを含む複数のアカウントのうちの１つのアカウントを使用してユーザが前記画像処理装置にログインすることを許可するユーザインタフェースを有し、且つ用紙に画像を形成する画像形成部を使用する画像処理装置であって、
制御手段を備え、
前記制御手段は、
特定のＭＡＣアドレスを前記特定のユーザＩＤに関連付けて記憶部に記憶し、
前記特定のユーザＩＤが付加された第１の印刷データを取得し、当該第１の印刷データを前記特定のアカウントに関連付けて前記記憶部に記憶し、
前記特定のユーザＩＤが付加されておらず前記特定のＭＡＣアドレスが付加された第２の印刷データを取得し、当該第２の印刷データを前記特定のアカウントに関連付けて前記記憶部に記憶し、
前記ユーザが前記特定のアカウントを使用して前記画像処理装置にログインしている状態で、前記画像形成部に前記第１の印刷データと前記第２の印刷データに基づく画像形成を実行させることを特徴とする画像処理装置。
【請求項８】
特定のユーザＩＤによって特定される特定のアカウントを含む複数のアカウントのうちの１つのアカウントを使用してユーザが前記画像処理装置にログインすることを許可するユーザインタフェースを有し、且つ用紙に画像を形成する画像形成部を使用する画像処理装置であって、
制御手段を備え、
前記制御手段は、
特定のｅ−ｍａｉｌアドレスを前記特定のユーザＩＤに関連付けて記憶部に記憶し、
前記特定のユーザＩＤが付加された第１の印刷データを取得し、前記画像形成部に前記第１の印刷データに基づく第１の画像形成を実行させ、当該第１の画像形成の履歴情報を前記特定のアカウントに関連付けて前記記憶部に記憶し、
前記特定のｅ−ｍａｉｌアドレスが付加された第２の印刷データを取得し、前記画像形成部に前記第２の印刷データに基づく第２の画像形成を実行させ、当該第２の画像形成の履歴情報を前記特定のアカウントに関連付けて前記記憶部に記憶することを特徴とする画像処理装置。
【請求項９】
特定のユーザＩＤによって特定される特定のアカウントを含む複数のアカウントのうちの１つのアカウントを使用してユーザが前記画像処理装置にログインすることを許可するユーザインタフェースを有し、且つ用紙に画像を形成する画像形成部を使用する画像処理装置であって、
制御手段を備え、
前記制御手段は、
特定のＭＡＣアドレスを前記特定のユーザＩＤに関連付けて記憶部に記憶し、
前記特定のユーザＩＤが付加された第１の印刷データを取得し、前記画像形成部に前記第１の印刷データに基づく第１の画像形成を実行させ、当該第１の画像形成の履歴情報を前記特定のアカウントに関連付けて前記記憶部に記憶し、
前記特定のＭＡＣアドレスが付加された第２の印刷データを取得し、前記画像形成部に前記第２の印刷データに基づく第２の画像形成を実行させ、当該第２の画像形成の履歴情報を前記特定のアカウントに関連付けて前記記憶部に記憶することを特徴とする画像処理装置。
【請求項１０】
特定のユーザＩＤによって特定される特定のアカウントを含む複数のアカウントのうちの１つのアカウントを使用してユーザが前記画像処理装置にログインすることを許可するユーザインタフェースを有し、且つ用紙に画像を形成する画像形成部を使用する画像処理装置の制御方法であって、
特定のｅ−ｍａｉｌアドレスを前記特定のユーザＩＤに関連付けて記憶部に記憶するステップと、
前記特定のユーザＩＤが付加された第１の印刷データを取得し、当該第１の印刷データを前記特定のアカウントに関連付けて前記記憶部に記憶するステップと、
前記特定のユーザＩＤが付加されておらず前記特定のｅ−ｍａｉｌアドレスが付加された第２の印刷データを取得し、当該第２の印刷データを前記特定のアカウントに関連付けて前記記憶部に記憶するステップと、
前記ユーザが前記特定のアカウントを使用して前記画像処理装置にログインしている状態で、前記画像形成部に前記第１の印刷データと前記第２の印刷データに基づく画像形成を実行させるステップとを有することを特徴とする画像処理装置の制御方法。
【請求項１１】
特定のユーザＩＤによって特定される特定のアカウントを含む複数のアカウントのうちの１つのアカウントを使用してユーザが前記画像処理装置にログインすることを許可するユーザインタフェースを有し、且つ用紙に画像を形成する画像形成部を使用する画像処理装置の制御方法をコンピュータに実行させるプログラムであって、
前記画像処理装置の制御方法は、
特定のｅ−ｍａｉｌアドレスを前記特定のユーザＩＤに関連付けて記憶部に記憶するステップと、
前記特定のユーザＩＤが付加された第１の印刷データを取得し、当該第１の印刷データを前記特定のアカウントに関連付けて前記記憶部に記憶するステップと、
前記特定のユーザＩＤが付加されておらず前記特定のｅ−ｍａｉｌアドレスが付加された第２の印刷データを取得し、当該第２の印刷データを前記特定のアカウントに関連付けて前記記憶部に記憶するステップと、
前記ユーザが前記特定のアカウントを使用して前記画像処理装置にログインしている状態で、前記画像形成部に前記第１の印刷データと前記第２の印刷データに基づく画像形成を実行させるステップとを有することを特徴とするプログラム。